(57)【特許請求の範囲】
【請求項１】
災害用備品を合成樹脂製の袋体内に封止し、該袋体を地中に埋設された容器内に収納するようにした災害用の備品の保管装置において、地中に埋設された既存のマンホールを前記容器に兼用し、前記袋体に防錆を施した吊り下げ金具を取り付け、該吊り下げ金具をマンホールの足掛具に吊り下げたことを特徴とする災害用の備品の保管装置。
【請求項２】
災害用備品を合成樹脂製の籠体内に納め、該籠体を地中に埋設された容器内に収納するようにした災害用の備品の保管装置において、地中に埋設された既存のマンホールを前記容器に兼用し、前記籠体に吊り上げロープを取り付け、マンホール底部のインバート上に台座を配置し、該台座に前記籠体をマンホール入口側に向け重合して載置したことを特徴とする災害用の備品の保管装置。
【請求項３】
災害用備品を合成樹脂製の組立式の箱体内に納め、該箱体を地中に埋設された容器内に収納するようにした災害用の備品の保管装置において、地中に埋設された既存のマンホールを前記容器に兼用し、マンホール底部のインバート上に台座を配置し、該台座に前記箱体をマンホールの周壁に沿ってマンホール入口側に向け重合して載置したことを特徴とする災害用の備品の保管装置。
【発明の詳細な説明】
【０００１】
【発明の属する技術分野】
この発明は、災害用備品等を合成樹脂製の収容体内に封止し、該収容体を地中に埋設された容器内に収納するようにした災害用の備品等の保管装置に関するものである。
【０００２】
【従来の技術】
従来，地中に容器を埋設させて、該容器に合成樹脂製の袋を収納し、容器の上端開口を蓋体で覆った地中埋設保管庫としているものがある（例えば、特許文献１参照。）。
【０００３】
【特許文献１】
特開平１０−１２００８２号公報
【０００４】
【発明が解決しようとする課題】
ところで、上記従来のものでは、容器を地中に埋設させる作業が面倒であると共に長期使用により容器が変形，沈下等の可能性を有し確実に災害用備品等を保管することができない虞がある、という問題がある。
【０００５】
この発明は、従来の技術の有するこのような問題点に鑑みてなされたものであり、その目的とするところは、既存のマンホールを有効利用し、丈夫で確実に災害用備品等が保管され、多種の備品等を簡単容易に設置，取り出し可能とし、長期保管も可能とする災害用の備品等の保管装置を提供しようとするものである。
【０００６】
また、既存のマンホールを有効利用し、災害用備品等が荷崩れせず確実に安定して保管され、数多くの多種の備品等を簡単容易に設置，取り出し可能とし、長期保管も可能とする災害用の備品等の保管装置を提供しようとするものである。
【０００７】
また、既存のマンホールを有効利用し、災害用備品等がより確実に安定して保管され、より数多くの多種の備品等を簡単容易に設置，取り出し可能とし、長期保管も可能とする災害用の備品等の保管装置を提供しようとするものである。
【０００８】
【課題を解決するための手段】
上記目的を達成するために、この発明における災害用の備品等の保管装置は、災害用備品等を合成樹脂製の袋体内に封止し、該袋体を地中に埋設された容器内に収納するようにしたものにおいて、地中に埋設されたマンホールを容器に兼用し、合成樹脂製の袋体に防錆を施した吊り下げ金具を取り付け、該吊り下げ金具をマンホール内の足掛具に吊り下げたことを特徴とするものである。
【０００９】
また、災害用備品等を合成樹脂製の籠体内に納め、該籠体を地中に埋設された容器内に収納するようにしたものにおいて、地中に埋設されたマンホールを前記容器に兼用し、前記籠体に吊り上げロープを取り付け、マンホール底部のインバート上に台座を配置し、該台座に前記籠体をマンホール入口側に向け重合して載置したことを特徴とするものである。
【００１０】
また、災害用備品等を合成樹脂製の組立式の箱体内に納め、該箱体を地中に埋設された容器内に収納するようにしたものにおいて、地中に埋設されたマンホールを前記容器に兼用し、マンホール底部のインバート上に台座を配置し、該台座に前記箱体をマンホールの周壁に沿ってマンホール入口側に向け重合して載置したことを特徴とするものである。
【００１１】
【発明の実施の形態】
図１を参照して、この発明の一の実施例について説明をする。
図１において、１は既存のマンホ―ルであり、該マンホ―ル１の内壁には上下に整列されて足掛具２，２，…が設置されている。
【００１２】
３は例えば強化ビニール等の合成樹脂製の袋体であり、該袋体３内にはいわゆる防災七つ道具と称されるような災害用備品等４が封止されて保管される。
前記袋体３の上部には前記足掛具２に吊り下げる防錆を施した吊り下げ金具５が取り付けられている。
【００１３】
前記災害用備品等４としては、備品としてスコップ，発電機，風力発電機，ソーラー発電機，バッテリー発電機，つるはし，斧，ウインチ，油圧ジャッキ，ダルマジャッキ，油圧カッター，電動カッター，ノコギリ等が、食品として乾パン，缶詰等が、その他としてガソリン，組立式トイレハウス，組立式マンホール便座等が挙げられる。そして、これらの災害用備品等４は、各々に油・錆止めコーティングし真空パックされている。また、前記袋体３自体も真空パックにして保管される各備品及び食品をより長期に保管し得るようにしてもよい。
【００１４】
以上のような構成からなる災害用の備品等の保管装置は、震災に備えて例えば避難場所指定地の近傍のマンホ―ル１が利用され、その際、マンホール自体は当然震災に耐え得るような構成になっており、震災等で破壊したり、焼失することは少なく、しかも該マンホール１を利用することから前記災害用備品等４の保管に格別の設置費を要しないものである。
【００１５】
しかも袋体３は、油・錆止めコーティングし真空パックされたスコップ，発電機等の災害用備品等４を該袋体３内に詰め込み封止して、前記吊り下げ金具５により容易に足掛具２に吊り下げることができる。そして、袋体３は強化ビニール等の合成樹脂製なので丈夫で防水性にも優れていると共に、マンホール１に収まる限り各種の大きさのものを多数吊り下げることも可能である。
【００１６】
そして災害発生時には、マンホール１の蓋を開けて足掛具２から吊り下げ金具５を外し袋体３を引っ張り上げるだけで容易に災害用備品等４が取り出せる。この際、災害用備品等４が長期に保管されたものであっても、光に当たらず、また個々に油・錆止めコーティングし真空パックされているので災害用備品等４を使用して作業をするのに支障をきたすことはない。
【００１７】
また、マンホール１の定期点検等でマンホール１を使用する場合であっても、簡単・容易に袋体３を引っ張り出せるのでそれほど問題はない。
【００１８】
なお、災害時に災害用備品等４を取り出した後は、災害用備品等４である組立式マンホール便座，組立式トイレハウスを使用して、マンホール１を災害用仮設トイレとして利用することも可能である。
【００１９】
図２はこの発明の他の実施例であり、図２において、６は合成樹脂製の籠体であり、該籠体６には例えば合成樹脂シート，強化繊維製等の吊り上げロープ７が取り付けられている。
なお、前記籠体６は図２に示すような上部が開口されているものだけでなく、蓋を有するもの，上面に薄膜が張られているもの等でもよい。
【００２０】
そして、マンホール１の底部の下水流路となるインバート８上には台座９が配置され、下水流路の妨げを防止している。
【００２１】
以上のような構成からなる災害用の備品等の保管装置は、上述の一の実施例と同様に既存のマンホール１を利用し、該マンホール１内底部のインバート８上に配置された台座９に前記籠体６を位置させる。そして、個々に真空パックされている災害用備品等４を複数個束にして略籠体６の大きさのジッパー式強化ポリ袋１０内に備品等４を封止して、該強化ポリ袋１０を籠体６内に収納する。同様に備品等４を収納した複数の籠体６，６，…をマンホール１入口側に向けて重合させ、各籠体６に取り付けられた前記吊り上げロープ７をマンホール１内の最上部位に設けた金具１１，１１に連結することにより災害用の備品等の保管装置が完成する。そして、該保管装置は災害用備品等４を前記籠体６内に収納し、籠体６を台座９上に位置させるので、災害用備品等４は荷崩れせずに安定して保管することができると共に、複数の籠体６，６，…をマンホール１入口側に向けて重合させるので数多くの多種の備品等を設置し、吊り上げて取り出すことができる。
【００２２】
図３は更にこの発明の他の実施例であり、図３において、１２，１２，…は合成樹脂製の組立式の箱体であり、該箱体１２を複数個上方向に重合させて棚，キャビネット，リブ構造のボックス等の収容体としている。そして、該各箱体１２の側面はマンホール１の内周壁に沿うように曲面に形成されている。
【００２３】
以上のような構成からなる災害用の備品等の保管装置は、上述の実施例と同様に既存のマンホール１を利用し、該マンホール１内底部のインバート８上に配置された台座９上に前記箱体１２を組み立てて棚１３とし、該棚１３の側面をマンホール１の内周壁に沿わせて載置する。そして、個々に真空パックされている災害用備品等４を複数個束にして略箱体１２の大きさのジッパー式強化ポリ袋１４内に備品等４を封止して、該強化ポリ袋１４を各箱体１２内に収納して保管する。  そして、該保管装置はマンホール１の内周壁に沿って棚１３が載置されているので、足掛具２，２，…を使って上り下りが可能であり、災害用備品等４を簡単・容易に設置し、取り出すことができると共に、複数の箱体１２，１２，…内により数多くの多種の備品等が設置でき、より安定して確実に保管することができる。
【００２４】
なお、既存のマンホール１の内壁全面に結露防止用の発泡断熱材を吹き付け、マンホール１の略最上部に断熱材としてウレタン材を配置して、収納されている前記災害用備品等４の劣化を防止することも可能である。
【００２５】
【発明の効果】
本発明は、既存のマンホールを有効利用し、丈夫で確実に災害用備品等が保管され、多種の備品等を簡単容易に設置，取り出し可能とし、長期保管も可能とする災害用の備品等の保管装置となる。
【００２６】
また、請求項２の発明においては、既存のマンホールを有効利用し、災害用備品等が荷崩れせず確実に安定して保管され、数多くの多種の備品等を簡単容易に設置，取り出し可能とし、長期保管も可能とする災害用の備品等の保管装置となる。
【００２７】
また、請求項３の発明においては、既存のマンホールを有効利用し、災害用備品等がより確実に安定して保管され、より数多くの多種の備品等を簡単容易に設置，取り出し可能とし、長期保管も可能とする災害用の備品等の保管装置となる。
【図面の簡単な説明】
【図１】図１はこの発明の一の実施例に係る災害用の備品等の保管装置の断面説明図である。
【図２】図２はこの発明の他の実施例に係る災害用の備品等の保管装置の断面説明図である。
【図３】図３は更にこの発明の他の実施例に係る災害用の備品等の保管装置の断面説明図である。
【符号の説明】
１                マンホ―ル
２                足掛具
３                袋体
４                災害用備品等
５                吊り下げ金具
６                籠体
７                吊り上げロープ
８                インバート
９                台座
１２              箱体
【図１】
0003703140.tif 000002
【図２】
0003703140.tif 000003
【図３】
0003703140.tif 000004